(57)【要約】【課題】ハウジングの組立に溶接を必要とする磁気ディスクにおいて、溶接に起因する磁気ディスクの品質の劣化を防止する。【解決手段】フレーム２、磁気ディスク５、ロータリーシャッタ７等の部材を、上シェルハーフ３と下シェルハーフ４とで挟み、ロータリーシャッタ７が閉位置の状態で上下シェルハーフ３、４の周縁部が溶接されて組み立てられる磁気ディスクカートリッジ１において、上下シェルハーフ３、４の周縁部にうち、ロータリーシャッタ７の開口部７ａに対向する領域Ａの立壁同士を二重に重ね合わせ、この二重に重ね合わせた部分で上下シェルハーフ３、４の立壁同士を溶接する。【選択図】          図１
2004272971.tif 000002
【特許請求の範囲】
【請求項１】
開口部を有する上下シェルハーフのそれぞれの周縁部に形成された立壁同士が溶接されて構成された扁平なハウジング内に、記録媒体としての磁気ディスクと、前記開口部を開閉するロータリーシャッタとが回転自在に収容され、該ロータリーシャッタは、開口部を有するとともに、該開口部が前記ハウジングの開口部と重なる開位置と、重ならない閉位置との間で回転されるものである磁気ディスクカートリッジにおいて、
前記ハウジングの周縁部のうち、前記ロータリーシャッタが閉位置にあるときの該シャッタの開口部に対向する領域において、前記上下シェルハーフの立壁同士が二重に重ね合わされ、該二重に重ね合わされている部分で前記上下シェルハーフの立壁同士が溶接されていることを特徴とする磁気ディスクカートリッジ。
【発明の詳細な説明】
【０００１】
【発明の属する技術分野】
本発明は、デジタルスチルカメラ、デジタルビデオカメラ、ノートパソコン等の電子機器のカードスロットに装填可能なカード型ディスクドライブに交換自在に装填可能な小型の磁気ディスクカートリッジに関するものである。
【０００２】
【従来の技術】
従来より、デジタルカメラ等のモバイル機器においては、記録媒体として例えば特許文献１に記載されているような、「ｃｌｉｋ！（登録商標）」と呼ばれる超小型の磁気ディスクカートリッジが使用されている。
【０００３】
この磁気ディスクカートリッジは、押込み部を含む樹脂製のフレームと、金属薄板からなる上下シェルとによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスクを回転自在に収容したものである。
【０００４】
この磁気ディスクカートリッジのハウジングには、ドライブ装置が備えている磁気ヘッドを磁気ディスクの表面にアクセスさせるためのＶ字状の開口と、この開口を開閉するロータリーシャッタとが設けられている。このロータリーシャッタは、小径の細長いコイルばねによって閉方向にばね付勢されている。
【０００５】
また、ハウジングの左側面先端部には、ドライブ装置内の係合部に係合させて、ドライブ装置内での位置決めを確実にするためのノッチが形成され、右側面先端部には、ロータリーシャッタを閉位置にロックするシャッタロック部材を外部に臨ませる小窓が形成されている。
【０００６】
さらに、ハウジングの下シェルには、磁気ディスクのセンタコアにドライブ装置の回転スピンドルを結合させるための円形の開口と、ロータリーシャッタと同心的な円弧状溝とが形成され、ロータリーシャッタには、上記円弧状溝から突出しかつこの円弧状溝に沿って移動してロータリーシャッタを開閉するシャッタノブが固設されている。
【０００７】
【特許文献１】
米国特許第６２５６１６８号公報
【０００８】
【発明が解決しようとする課題】
ところで、上記磁気ディスクカートリッジのハウジングは、上下シェルハーフのそれぞれの周縁部に形成された立壁のエッジを互いにつき合わせて１０箇所以上の部位でレーザー溶接されて組み立てられているが、溶接時にレーザー光がハウジング内部に侵入して磁気ディスクに照射されてしまうと磁気ディスクを劣化させてしまう虞がある。また、溶接時に発生するべーパーやスパッタ屑等がハウジング内部に侵入して磁気ディスクに付着することによっても同様の問題を生じる。
【０００９】
本発明は上記問題に鑑みてなされたものであり、ハウジングの組立に溶接を必要とする磁気ディスクにおいて、溶接に起因する磁気ディスクの品質の劣化を防止した磁気ディスクカートリッジを提供することを目的とするものである。
【００１０】
【課題を解決するための手段】
本発明による磁気ディスクカートリッジは、開口部を有する上下シェルハーフのそれぞれの周縁部に形成された立壁同士が溶接されて構成された扁平なハウジング内に、記録媒体としての磁気ディスクと、開口部を開閉するロータリーシャッタとが回転自在に収容され、ロータリーシャッタは、開口部を有するとともに、開口部がハウジングの開口部と重なる開位置と、重ならない閉位置との間で回転されるものである磁気ディスクカートリッジにおいて、ハウジングの周縁部のうち、ロータリーシャッタが閉位置にあるときのシャッタの開口部に対向する領域において、上下シェルハーフの立壁同士が二重に重ね合わされ、この二重に重ね合わされている部分で上下シェルハーフの立壁同士が溶接されていることを特徴とするものである。
【００１１】
ここで「立壁同士が二重に重ね合わされている」とは、立壁の全ての部分が二重に重ね合わされているものに限らず、一部が二重に重ね合わされているものも含む。
【００１２】
【発明の効果】
本発明による磁気ディスクカートリッジは、ハウジングの組立に溶接を必要とする磁気ディスクにおいて、ハウジングの周縁部のうち、ロータリーシャッタが閉位置にあるときのシャッタの開口部に対向する領域、すなわち溶接時にハウジングの周縁部から磁気ディスクまでの間に何も介在しない領域において、上下シェルハーフの立壁同士を二重に重ね合わせ、この二重に重ね合わせた部分で上下シェルハーフの立壁同士を溶接することによって、溶接時に、溶接に用いるレーザー光や、溶接により発生したべーパーやスパッタ屑等がハウジングの周縁部からハウジング内に侵入するのを防止することができるため、溶接に起因する磁気ディスクの品質の劣化を防止することが可能である。
【００１３】
【発明の実施の形態】
以下、本発明の実施の形態について図面とともに詳細に説明する、
図１は、ＰＣカード型ドライブ装置に対し押込み・引出し形式で着脱される「ｃｌｉｋ！（登録商標）」と呼ばれる超小型の磁気ディスクカートリッジを示し、図１（ａ）はその平面図、図１（ｂ）は右側面図、図１（ｃ）は底面図であり、図２は図１（ａ）のＩＩ−ＩＩ線断面図である。
【００１４】
図３は、本発明によるＰＣカード型ドライブ装置の本体を示す平面図で、このドライブ装置は、図示のドライブ装置本体２０と、本体２０と略同型の平面形状を備えて本体２０上に被せられる金属製上蓋（図示は省略）とから構成されている。
【００１５】
図１に示す磁気ディスクカートリッジ１は、押込み部２ａを含む樹脂製のフレーム２と、金属薄板からなる上下シェルハーフ３、４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【００１６】
上記ハウジングには、図３に示すドライブ装置本体２０が備えている磁気ヘッド２７を磁気ディスク５の表面にアクセスさせるためのＶ字状の開口６と、この開口６を開閉するロータリーシャッタ７とが設けられている。ロータリーシャッタ７は、ハウジング内に設けられた小径の細長いコイルばね（図示は省略）によって閉方向（図１（ａ）の反時計方向）にばね付勢されている。
【００１７】
上記の磁気ディスクカートリッジ１は、フレーム２、磁気ディスク５、ロータリーシャッタ７等の部材を、上シェルハーフ３と下シェルハーフ４とで挟み、ロータリーシャッタ７が閉位置の状態で上下シェルハーフ３、４の周縁部のＷ矢指部が溶接されて組み立てられるが、図１（ａ）に示すように、上下シェルハーフ３、４の周縁部のうち、ロータリーシャッタ７の開口部７ａに対向する領域Ａにおいては、ハウジングの周縁部から磁気ディスク５までの間に何も介在しないため、溶接時に、溶接に用いるレーザー光や、溶接により発生したべーパーやスパッタ屑等がハウジングの周縁部からハウジング内に侵入した場合に、磁気ディスクの品質を劣化させる虞があるため、本発明においては、図２（ａ）に示すように、上下シェルハーフ３、４の領域Ａの立壁同士を二重に重ね合わせ、この二重に重ね合わせた領域中のＷ矢指部で上下シェルハーフ３、４の立壁同士を溶接している。これにより上記問題を解消することができる。立壁を二重にする場合に、図２（ｂ）に示すように、立壁の一部を二重に重ね合わせても同様の効果を得ることができる。
【００１８】
なお、必ずしも領域Ａの全ての部分の立壁同士を二重にする必要はなく、領域Ａ中の溶接部周辺のみ二重にしてもよい。また、逆に領域Ａ以外の領域についても、立壁同士を二重に重ね合わせてもよい。
【００１９】
筐体の左側面先端部には、ドライブ装置本体２０内の係合部材２９に係合させて、ドライブ装置本体２０内での位置決めを確実にするためのノッチ８が形成され、右側面先端部には、ロータリーシャッタ７を閉位置にロックするシャッタロック部材１１を外部に臨ませる小窓９が形成されている。なお、図１はロータリーシャッタ７が閉位置にロックされている状態を示す。
【００２０】
筐体の下シェル４には、磁気ディスク５のセンタコア１０にドライブ装置本体２０の回転スピンドル２３を結合させるための円形の開口部４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【００２１】
ロータリーシャッタ７を閉位置にロックするシャッタロック部材１１は、筐体に設けられた軸１２に回動自在に取り付けられているとともに、ロータリーシャッタ７をロックする方向にばね付勢されている。そして、磁気ディスクカートリッジ１がドライブ装置本体２０へ挿入される際に、ドライブ装置本体２０側に設けられたロック解除部材１９が小窓９を通してこのシャッタロック部材１１を押圧することにより、ロック部材１１がロック解除方向に僅かに回動されて、ロータリーシャッタ７のロックが解除されるように構成されている。
【００２２】
図３に示すドライブ装置本体２０は、幅５３ｍｍ、奥行き８５ｍｍ、厚さ５ｍｍの寸法を有するＴＹＰＥＩＩ  ＰＣカード型ドライブ装置から金属製上蓋を除去したものであり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００２３】
さらにドライブ装置本体２０は、磁気ディスクカートリッジ１のノッチ８に係合する係合部材２９を備えたプッシュ・プッシュ式のカートリッジ係止・排出機構２８と、このドライブ装置本体２０が装填されるデジタルカメラ、パソコン等の電子機器に対する入出力インターフェース３０とを備えている。
【００２４】
ドライブ装置本体２０のスロット２１の奥の右側には、磁気ディスクカートリッジ１の挿入方向に直交するように左右に延びる係止壁１８がシャッタ開放手段として形成されているとともに、閉位置にロックされたロータリーシャッタ７のロックを磁気ディスクカートリッジ１の挿入時に解除するロック解除部材１９が設けられている。
【００２５】
そして、磁気ディスクカートリッジ１がドライブ装置のスロット２１に挿入されると、先ずロック解除部材１９がシャッタロック部材１１を押圧し、その状態でシャッタノブ７ｂが係止壁１８に係合するから、磁気ディスクカートリッジ１の押込みに伴ってシャッタノブ７ｂが係止壁１８に沿ってスライドする態様でロータリーシャッタ７がその付勢用コイルばねを圧縮しながら開位置まで回動され、同時に、磁気ディスクカートリッジ１のノッチ８にドライブ装置本体２０の係合部材２９が係合して、磁気ディスクカートリッジ１は、ドライブ装置本体２０内の所定位置に収納される。
【００２６】
一方、磁気ディスクカートリッジ１をドライブ装置から取り出すときには、磁気ディスクカートリッジ１の押圧部２ａを押圧することによって、カートリッジ係止・排出機構２８が磁気ディスクカートリッジ１を押し出すとともに、圧縮されたロータリーシャッタ付勢用コイルばねによってエジェクト時の初速が確保され、かつ磁気ディスクカートリッジ１の引き出しに伴ってロータリーシャッタ７は上記コイルばねの付勢力により閉位置まで回動されて、シャッタロック部材１１によりロックされるように構成されている。
【図面の簡単な説明】
【図１】本発明による磁気ディスクカートリッジの平面図（ａ）、右側面図（ｂ）および底面図（ｃ）
【図２】図１（ａ）におけるＩＩ−ＩＩ線断面図
【図３】本発明による磁気ディスクカートリッジに対応したＰＣカード型ドライブ装置のドライブ装置本体平面図
【符号の説明】
１    磁気ディスクカートリッジ
２    フレーム
３    上シェルハーフ
４    下シェルハーフ
５    磁気ディスク
７    ロータリーシャッタ
１８    係止壁
１９    ロック解除部材
２０    ドライブ装置本体
２２    スピンドルモータ
【図１】
2004272971.tif 000003
【図２】
2004272971.tif 000004
【図３】
2004272971.tif 000005